(57)【要約】【課題】  柔軟性のあるセキュリティシステムを提供することを目的とする。【解決手段】  セキュリティシステムは、防犯装置と、管理装置とを含むセキュリティシステムであって、前記防犯装置は、画像を撮影する撮影部と前記撮影部により撮影された画像を、前記管理装置に送信する送信部とを有し、前記管理装置は、前記送信部により送信された画像を受信する受信部と前記受信部により受信された画像に基づき、既定の画像要素の有無を判定する画像判定部と、前記画像判定部の判定結果に基づき、異常の種類を判定する異常判定部と、前記異常判定部により判定された異常の種類に基づき、複数ある通報先の中から、通報先を選択する通報先選択部とを有する。【選択図】図２
2017211929.tif 000002
【特許請求の範囲】
【請求項１】
防犯装置と、管理装置とを含むセキュリティシステムであって、
前記防犯装置は、
画像を撮影する撮影部と、
前記撮影部により撮影された画像を、前記管理装置に送信する送信部と
を有し、
前記管理装置は、
前記送信部により送信された画像を受信する受信部と、
前記受信部により受信された画像に基づき、既定の画像要素の有無を判定する画像判定部と、
前記画像判定部の判定結果に基づき、異常の種類を判定する異常判定部と、
前記異常判定部により判定された異常の種類に基づき、複数ある通報先の中から、通報先を選択する通報先選択部と
を有するセキュリティシステム。
【請求項２】
前記管理装置は、
人間の顔の画像要素を登録するデータベース
をさらに有し、
前記画像判定部は、前記データベースに登録された人間の顔の画像要素の有無を判定し、
前記異常判定部は、前記画像判定部により、前記データベースに登録されていない人間の顔の画像要素が有ると判定された場合、侵入者の存在を判定し、
前記通知先選択部は、前記異常判定部により侵入者の存在が判定された場合、複数ある通知先の中から、警察機関、又は、警備会社を通報先として選択する
請求項１に記載のセキュリティシステム。
【請求項３】
前記防犯装置は、
電力、ガス、及び、扉又は窓の開閉の少なくとも一つを検知するセンサを
さらに有し、
前記異常判定部は、前記センサの出力値、及び、前記画像判定部の判定結果に基づき、異常の種類を判定する
請求項１に記載のセキュリティシステム。
【請求項４】
前記管理装置は、
人間の顔の画像要素を登録するデータベース
をさらに有し、
前記画像判定部は、前記データベースに登録された人間の顔の画像要素の有無を判定し、
前記異常判定部は、前記センサにより、電力、ガス、及び、扉又は窓の開閉の少なくとも一つが検知され、かつ、前記画像判定部により、前記データベースに登録されていない人間の顔の画像要素が判定された場合、侵入者の存在を判定し、
前記通知先選択部は、前記異常判定部により侵入者の存在が判定された場合、複数ある通知先の中から、警察機関、又は、警備会社を通報先として選択する
請求項３に記載のセキュリティシステム。
【請求項５】
前記画像判定部は、炎の画像要素の有無を判定し、
前記異常判定部は、前記画像判定部により、炎の画像要素、及び、前記データベースに登録された人間の顔の画像要素がないと判定された場合、火事を判定し、
前記通報先選択部は、前記異常判定部により火事が判定された場合、複数ある通知先の中から、消防機関を通報先として選択する
請求項２に記載のセキュリティシステム。
【請求項６】
前記防犯装置は、
電力、及び、ガスの少なくとも一つを検知するセンサ
をさらに有し、
前記異常判定部は、前記センサの出力値に基づき、漏電、及び、ガス漏れの少なくとも一つを判定し、
前記通報先選択部は、前記異常判定部により判定された異常の種類に基づき、電力会社、及び、ガス会社の中から、通報先を選択する
請求項１に記載のセキュリティシステム。
【請求項７】
前記管理装置は、
前記通報先選択部により選択された通報先に、自動音声により電話で通報をする通報部
をさらに有する
請求項１記載のセキュリティシステム。
【請求項８】
画像に、既定の画像要素があるかどうかを判定する画像判定部と、
前記画像判定部の判定結果に基づき、異常の種類を判定する異常判定部と、
前記異常判定部により判定された異常の種類に基づき、複数ある通報先の中から、通報先を選択する通報先選択部と
を有する管理装置。
【請求項９】
画像に、既定の画像要素があるかどうかを判定する画像判定ステップと、
前記画像判定部の判定結果に基づき、異常の種類を判定する異常判定ステップと、
前記異常判定部により判定された異常の種類に基づき、複数ある通報先の中から、通報先を選択する通報先選択ステップと
を有するセキュリティ方法。
【請求項１０】
画像に、既定の画像要素があるかどうかを判定する画像判定ステップと、
前記画像判定部の判定結果に基づき、異常の種類を判定する異常判定ステップと、
前記異常判定部により判定された異常の種類に基づき、複数ある通報先の中から、通報先を選択する通報先選択ステップと
をコンピュータに実行させるプログラム。
【発明の詳細な説明】
【技術分野】
【０００１】
本発明は、セキュリティシステム、管理装置、セキュリティ方法、及び、プログラムに関する。
【背景技術】
【０００２】
例えば、特許文献１には、監視域を常時撮影して得られる画像を時間前後で比較することにより監視域の変化の有無を検知し、検知した変化後の画像を通信網を介して伝送可能とした画像センサーと、該画像センサーとは前記通信網を介して接続され、前記変化後の画像を受信し表示可能とした情報端末と、前記変化後の画像を保存・蓄積するサーバーとからなり、前記情報端末から許可通知があった場合のみ前記サーバーから変化後の画像をダウンロード可能としたことを特徴とする防犯・防災ネットワークシステムが開示されている。
【０００３】
また、特許文献２には、各種センサの検知により、異常時に指定先にメールや電話で連絡する機能を有する侵入セキュリティシステムを有するセキュリティシステムであって、前記侵入セキュリティシステムには、屋外に設けられたドアホン部との通話を行う通信機能を設けて、異常を検知した場合に、宅内に威嚇や警告音を発生するだけでなく、宅外の通行人や近隣の人にも異常を知らせる多重通報機能を備えたことを特徴とするセキュリティシステムが開示されている。
【先行技術文献】
【特許文献】
【０００４】
【特許文献１】特開２００３−３１７１６７
【特許文献２】特開２００６−２４３８１５
【発明の概要】
【発明が解決しようとする課題】
【０００５】
柔軟性のあるセキュリティシステムを提供することを目的とする。
【課題を解決するための手段】
【０００６】
本発明に係るセキュリティシステムは、防犯装置と、管理装置とを含むセキュリティシステムであって、前記防犯装置は、画像を撮影する撮影部と、前記撮影部により撮影された画像を、前記管理装置に送信する送信部とを有し、前記管理装置は、前記送信部により送信された画像を受信する受信部と、前記受信部により受信された画像に基づき、既定の画像要素の有無を判定する画像判定部と、前記画像判定部の判定結果に基づき、異常の種類を判定する異常判定部と、前記異常判定部により判定された異常の種類に基づき、複数ある通報先の中から、通報先を選択する通報先選択部とを有する。
【０００７】
好適には、前記管理装置は、人間の顔の画像要素を登録するデータベースをさらに有し、前記画像判定部は、前記データベースに登録された人間の顔の画像要素の有無を判定し、前記異常判定部は、前記画像判定部により、前記データベースに登録されていない人間の顔の画像要素が有ると判定された場合、侵入者の存在を判定し、前記通知先選択部は、前記異常判定部により侵入者の存在が判定された場合、複数ある通知先の中から、警察機関、又は、警備会社を通報先として選択する。
【０００８】
好適には、前記防犯装置は、電力、ガス、及び、扉又は窓の開閉の少なくとも一つを検知するセンサをさらに有し、前記異常判定部は、前記センサの出力値、及び、前記画像判定部の判定結果に基づき、異常の種類を判定する。
【０００９】
好適には、前記管理装置は、人間の顔の画像要素を登録するデータベースをさらに有し、前記画像判定部は、前記データベースに登録された人間の顔の画像要素の有無を判定し、前記異常判定部は、前記センサにより、電力、ガス、及び、扉又は窓の開閉の少なくとも一つが検知され、かつ、前記画像判定部により、前記データベースに登録されていない人間の顔の画像要素が判定された場合、侵入者の存在を判定し、前記通知先選択部は、前記異常判定部により侵入者の存在が判定された場合、複数ある通知先の中から、警察機関、又は、警備会社を通報先として選択する。
【００１０】
好適には、前記画像判定部は、炎の画像要素の有無を判定し、前記異常判定部は、前記画像判定部により、炎の画像要素、及び、前記データベースに登録された人間の顔の画像要素がないと判定された場合、火事を判定し、前記通報先選択部は、前記異常判定部により火事が判定された場合、複数ある通知先の中から、消防機関を通報先として選択する。
【００１１】
好適には、前記防犯装置は、電力、及び、ガスの少なくとも一つを検知するセンサをさらに有し、前記異常判定部は、前記センサの出力値に基づき、漏電、及び、ガス漏れの少なくとも一つを判定し、前記通報先選択部は、前記異常判定部により判定された異常の種類に基づき、電力会社、及び、ガス会社の中から、通報先を選択する。
【００１２】
好適には、前記管理装置は、前記通報先選択部により選択された通報先に、自動音声により電話で通報をする通報部をさらに有する。
【００１３】
本発明に係る管理装置は、画像に、既定の画像要素があるかどうかを判定する画像判定部と、前記画像判定部の判定結果に基づき、異常の種類を判定する異常判定部と、前記異常判定部により判定された異常の種類に基づき、複数ある通報先の中から、通報先を選択する通報先選択部とを有する。
【００１４】
本発明に係るセキュリティ方法は、画像に、既定の画像要素があるかどうかを判定する画像判定ステップと、前記画像判定部の判定結果に基づき、異常の種類を判定する異常判定ステップと、前記異常判定部により判定された異常の種類に基づき、複数ある通報先の中から、通報先を選択する通報先選択ステップとを有する。
【００１５】
本発明に係るプログラムは、画像に、既定の画像要素があるかどうかを判定する画像判定ステップと、前記画像判定部の判定結果に基づき、異常の種類を判定する異常判定ステップと、前記異常判定部により判定された異常の種類に基づき、複数ある通報先の中から、通報先を選択する通報先選択ステップとをコンピュータに実行させる。
【発明の効果】
【００１６】
柔軟性のあるセキュリティシステムを提供できる。
【図面の簡単な説明】
【００１７】
【図１】情報処理システム1のハードウェア構成を例示する図である。
【図２】情報処理システム1における、ホームセキュリティを模式的に表わす図である。
【図３】撮影装置３のハードウェア構成を例示する図である。
【図４】撮影装置３の機能構成を例示する図である。
【図５】セキュリティ装置４のハードウェア構成を例示する図である。
【図６】セキュリティ装置４の機能構成を例示する図である。
【図７】異常判定処理（Ｓ２０）のフローチャートである。
【発明を実施するための形態】
【００１８】
以下、本発明の実施形態を、図面を参照して説明する。
図１は、情報処理システム1のハードウェア構成を例示する図である。
図１に例示するように、情報処理システム１は、一、又は、複数の撮影装置３と、セキュリティ装置４とを含む。本例において、情報処理システム１は、撮影装置３Ａ〜３Ｃを含む。また、情報処理システム1は、本発明にかかるセキュリティシステムの一例である。
撮影装置３は、本発明に係る防犯装置の一例であり、少なくとも撮影機能を有する。例えば、撮影装置３は、防犯カメラ、又は、監視カメラ等である。本例において、撮影装置３は、屋内、又は、屋外を撮影する。また、撮影装置３は、例えば、ネットワークを介して、セキュリティ装置４に接続されている。
セキュリティ装置４は、本発明に係る管理装置の一例である。例えば、セキュリティ装置４は、セキュリティ機能を有するコンピュータ端末である。本例において、セキュリティ装置４は、人工知能を有する。ここで、人工知能とは、推論、及び、判断などの知的な機能を人工的に実現したものをいう。
【００１９】
図２は、情報処理システム1における、ホームセキュリティを模式的に表わす図である。
図２に例示するように、本実施形態では、撮影装置３は、建物１０の内部、及び、外部を撮影する。また、撮影装置３は、撮影した画像等を、セキュリティ装置４に送信する。ここで、画像とは、静止画像及び動画像を含む概念である。本例において、画像が、動画像である場合を具体例として説明する。また、建物１０に、電力センサ、ガスセンサ、開閉センサ、及び、水道センサ等が、設置されている。撮影装置３は、センサの出力値を、セキュリティ装置４に送信する。
セキュリティ装置４は、撮影装置３により送信された動画、及び、センサの出力値に基づき、建物１０の内部、及び、外部に、異常があるかを判定する。例えば、セキュリティ装置４は、火災、泥棒、又は、インフラ異常等の異常の有無を判定する。セキュリティ装置４は、その判定結果に基づき、複数ある通報先の中から、最適な通報先を選択する。本例において、セキュリティ装置４は、警察機関、警備会社、消防機関、ガス会社、電力会社、及び、水道局の中から、適切な通報先を選択する。セキュリティ装置４は、選択された通報先に、音声出力により電話で通報、及び、応対をする。通報、及び、応対された通報先は、撮影装置３により撮影された建物１０に出動する。
【００２０】
図３は、撮影装置３のハードウェア構成を例示する図である。
図３に例示するように、撮影装置３は、ＣＰＵ３００（Ｃｅｎｔｒａｌ  Ｐｒｏｃｅｓｓｉｎｇ  Ｕｎｉｔ３００）、揮発性メモリ３０２、不揮発性メモリ３０４、ネットワークインタフェース３０６（ネットワークＩＦ３０６）、カメラ３０８、及び、センサインタフェース３１０（センサＩＦ３１０）を有し、これらの構成はバス３１６を介して互いに接続している。
ＣＰＵ３００は、例えば、中央演算装置である。
揮発性メモリ３０２は、例えば、主記憶装置として機能する。
不揮発性メモリ３０４は、例えば、不揮発性の記録装置としてコンピュータプログラムやその他のデータファイルを格納する。
ネットワークＩＦ３０６は、有線又は無線で通信するためのインタフェースであり、電話回線又はインターネットを介したセキュリティ装置４との通信を実現する。
カメラ３０８は、例えば、撮影装置３に内蔵されたカメラである。なお、カメラ３０８は、ＵＳＢ（Ｕｎｉｖｅｒｓａｌ  Ｓｅｒｉａｌ  Ｂｕｓ）ケーブルなどにより外部接続されたカメラであってもよい。
センサＩＦ３１０は、センサとのインタフェースである。例えば、センサＩＦ３１０は、センサとの、有線又は無線のインタフェースである。本例において、センサＩＦ３１０は、Ｂｌｕｅｔｏｏｔｈ（登録商標）、又は、Ｚｉｇｂｅｅ（登録商標）等である。また、センサＩＦ３１０は、例えば、温度、圧力、流量、光、及び、磁気等を検出するセンサとのインタフェースである。本例において、センサＩＦ３１０は、ガスの使用量を検知するガスセンサ、電力の使用量を検知する電力センサ、水の使用量を検知する水道センサ、及び、扉又は窓の開閉を検知する開閉センサとのインタフェースである。
【００２１】
図４は、撮影装置３の機能構成を例示する図である。
図４に例示するように、撮影装置３には、画像撮影プログラム３５０がインストールされている。画像撮影プログラム３５０は、撮影部３５２、及び、送信部３５４を有する。なお、本プログラムの一部又は全部は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハードウェアによって実現されてもよく、また、ＯＳ（Ｏｐｅｒａｔｉｎｇ  Ｓｙｓｔｅｍ）の機能を一部借用して実現されてもよい。
【００２２】
画像撮影プログラム３５０において、撮影部３５２は、カメラ３０８により、画像の撮影を行う。例えば、撮影部３５２は、動画を撮影する。本例において、撮影部３５２は、建物１０の内部、及び、外部の動画を撮影する。
【００２３】
送信部３５４は、撮影部３５２により撮影された画像、及び、センサの出力値の少なくとも１つを、セキュリティ装置４に送信する。例えば、送信部３５４は、撮影部３５２により撮影された画像、及び、センサの出力値の両方を、ネットワークを介して、管理装置４に送信する。本例において、送信部３５４は、建物１０の内部及び外部の動画、及び、ガスセンサ、電力センサ、水道センサ、及び、開閉センサの出力値を、セキュリティ装置４に送信する。
【００２４】
図５は、セキュリティ装置４のハードウェア構成を例示する図である。
図５に例示するように、セキュリティ装置４は、ＣＰＵ４００、揮発性メモリ４０２、不揮発性メモリ４０４、ネットワークインタフェース４０６（ネットワークＩＦ４０６）、表示装置４０８、及び、入力装置４１０を有し、これらの構成はバス４１２を介して互いに接続している。
ＣＰＵ４００は、例えば、中央演算装置である。
揮発性メモリ４０２は、例えば、主記憶装置として機能する。
不揮発性メモリ４０４は、例えば、不揮発性の記録装置としてコンピュータプログラムやその他のデータファイルを格納する。
ネットワークＩＦ４０６は、有線又は無線で通信するためのインタフェースであり、電話回線又はインターネットを介した撮影装置３との通信を実現する。
表示装置４０８は、例えば、液晶ディスプレイである。
入力装置４１０は、例えば、キーボード及びマウスである。
【００２５】
図６は、セキュリティ装置４の機能構成を例示する図である。
図６に例示するように、セキュリティ装置４には、セキュリティプログラム４５０がインストールされるとともに、情報処理データベース６００（情報処理ＤＢ６００）、及び、画像登録データベース６１０（画像登録ＤＢ６１０）が構成される。セキュリティプログラム４５０は、受信部４５２、格納部４５４、画像判定部４５６、異常判定部４５８、通報先決定部４６０、及び、通報部４６２を有する。なお、画像撮影プログラム３５０が、画像判定部４５６、又は、画像判定部４５６及び異常判定部４５８を有してもよい。また、セキュリティプログラム４５０の一部又は全部は、ＡＳＩＣなどのハードウェアによって実現されてもよく、また、ＯＳの機能を一部借用して実現されてもよい。
【００２６】
セキュリティプログラム４５０において、受信部４５２は、撮影装置３により送信された画像、及び、センサの出力値の少なくとも１つを受信する。例えば、受信部４５２は、送信部３５４により送信された画像、及び、センサの出力値の両方を、ネットワークを介して、受信する。本例において、受信部４５２は、建物１０の内部及び外部の動画、及び、電力センサ、ガスセンサ、開閉センサ、及び、水道センサの出力値を受信する。
【００２７】
格納部４５４は、受信部４５２により受信された、画像、及び、センサの出力値少なくとも１つを格納する。例えば、格納部４５４は、情報処理ＤＢ６００に、画像、及び、センサの出力値を格納する。また、格納部４５４は、人間の顔の画像要素を、あらかじめ、画像登録ＤＢ６１０に登録する。例えば、格納部４５４は、家族、及び、その友人の顔の画像要素を、画像登録ＤＢ６１０に登録する。
【００２８】
画像判定部４５６は、格納部４５４により格納された画像に基づき、既定の画像要素の有無を判定する。例えば、画像判定部４５６は、画像登録ＤＢ６１０に登録された人間の顔の画像要素と比較して、格納部４５４により情報処理ＤＢ６００に格納された画像に、既定の顔の画像要素があるかを判定する。
また、画像判定部４５６は、炎の画像要素の有無を判定する。例えば、画像判定部４５６は、炎及び煙の色による画像の色彩の変化に基づき、炎の画像要素の有無を判定する。
また、画像判定部４５６は、例えば、情報処理ＤＢ６００に蓄積された現在、又は、過去の画像に基づき、既定の画像要素の有無を判定する。これにより、画像判定部４５６は、膨大な画像データに基づき、最適な画像要素の判定ができる。
なお、画像判定部４５６は、パターンマッチングにより、既定の画像要素の有無を判定してもよく、サポートベクタマシンにより、既定の画像要素の有無を判定してもよい。また、画像判定部４５６は、格納部４５４により格納された画像でなく、受信部４５２により受信された画像を、直接判定してもよい。
【００２９】
異常判定部４５８は、画像判定部４５６の判定結果に基づき、異常の種類を判定する。例えば、画像判定部４５６により、格納部４５４により情報処理ＤＢ６００に格納された画像に、画像登録ＤＢ６１０に登録されていない人間の顔の画像要素が有ると判定された場合、侵入者の存在を判定する。
また、例えば、異常判定部４５８は、センサの出力値、及び、画像判定部４５６の判定結果に基づき、異常の種類を判定する。本例において、電力センサ、ガスセンサ、水道センサ、及び、扉又は窓の開閉センサにより、電力の出力、ガスの出力、水の出力、及び、扉又は窓の開閉の少なくとも一つが検知され、かつ、画像判定部４５６により、画像登録ＤＢ６１０に登録されていない人間の顔の画像要素が判定された場合、侵入者の存在を判定する。
また、例えば、異常判定部４５８は、画像判定部４５６により、炎の画像要素、及び、情報処理ＤＢ６００に登録された人間の顔の画像要素がないと判定された場合、火事を判定する。これにより、異常判定部４５８は、調理の場合、火事を判定しない。
また、例えば、異常判定部４５８は、センサにより、漏電、ガス漏れ、及び、水漏れの少なくとも一つが検知された場合、電力異常、ガス異常、及び、水道異常の少なくとも一つを判定する。
【００３０】
通報先選択部４６０は、異常判定部４５８により判定された異常の種類に基づき、複数ある通報先の中から、通報先を選択する。例えば、通報先選択部４６０は、異常の種類に基づき、複数ある通報先の中から、緊急時に対応をする機関に通報先を選択する。本例において、通報先選択部４６０は、異常判定部４５８により、侵入者の存在が検知された場合、通報先選択部４６０は、警察機関又は警備会社を通報先として選択する。また、通報先選択部４６０は、異常判定部４５８により、火事が判定された場合、消防機関、及び、病院等を通報先として選択する。また、通報先選択部４６０は、異常判定部４５８により、電力異常、ガス異常、及び、水道異常の少なくとも１つが検知された場合、電力会社、ガス会社、及び、水道局のうち、適切な会社を通報先として選択する。
【００３１】
通報部４６２は、通報先選択部４６０により選択された通報先に、通報を行う。例えば、通報部４６２は、通報先選択部４６０により選択された通報先に、電気通信回線、又は、電話回線等を介して、通報をする。本例において、通報部４６２は、音声を出力し、自動音声により、電話で通報、及び、応対をする。
【００３２】
図７は、異常判定処理（Ｓ２０）のフローチャートである。
図７に例示するように、ステップ２００（Ｓ２００）において、受信部４５２は、撮影装置３から、建物１０の内部及び外部の動画を、受信した場合（Ｓ２００：Ｙｅｓ）、Ｓ２０５の処理に移行し、受信しない場合（Ｓ２００：Ｎｏ）、Ｓ２１５に移行する。
【００３３】
ステップ２０５（Ｓ２０５）において、格納部４５４は、受信部４５２により受信されたた動画を、情報処理ＤＢ６００に格納する。
ステップ２１０（Ｓ２１０）において、画像判定部４５６は、格納部４５４により格納された画像に基づき、既定の画像要素の有無を判定する。画像判定部４５６は、画像判定部４５６は、画像登録ＤＢ６１０に登録された人間の顔の画像要素と比較して、情報処理ＤＢ６００に格納された画像に、既定の顔の画像要素の有無を判定する。
【００３４】
ステップ２１５（Ｓ２１５）において、受信部４５４は、電力センサ、ガスセンサ、水道センサ、及び、開閉センサの少なくとも１つの出力値を受信した場合（Ｓ２１５：Ｙｅｓ）、Ｓ２２０に移行し、センサの出力値を受信しない場合（Ｓ２１５：Ｎｏ）、Ｓ２２５に移行する。
【００３５】
ステップ２２０（Ｓ２２０）において、格納部４５４は、受信部４５２により受信さセンサの出力値を、情報処理ＤＢ６００に格納する。
ステップ２２５（Ｓ２２５）において、異常判定部４５８は、センサの出力値、及び、画像判定部４５６の判定結果に基づき、異常の種類を判定する。電力センサ、ガスセンサ、水道センサ、及び、扉又は窓の開閉センサにより、電力の出力、ガスの出力、水道の出力、及び、扉又は窓の開閉の少なくとも一つが検知され、かつ、画像判定部４５６により、情報処理ＤＢ６００に登録されていない人間の顔の画像要素が判定された場合、侵入者の存在を判定し（Ｓ２２５：Ｙｅｓ）、Ｓ２３０に移行する。侵入者の存在が判定されない場合（Ｓ２２５：Ｎｏ）、処理を終了する。
【００３６】
ステップ２３０（Ｓ２３０）において、通報先選択部４６０は、異常判定部４５８により判定された異常の種類に基づき、複数ある通報先の中から、通報先を選択する。通報先選択部４６０は、異常判定部４５８により、侵入者の存在が検知された場合、通報先選択部４６０は、警察機関又は警備会社を通報先として選択する。
【００３７】
ステップ２３５（Ｓ２３５）において、通報部４６２は、通報先選択部４６０により選択された通報先に、通報を行う。通報部４６２は、音声を出力し、自動音声により、電話で、警察機関又は警備会社に通報をする。
以上説明したように、情報処理システム1は、異常発生時の対応を自動的に行う。自動化により、情報処理システム1は、異常に対して即時の対応が可能である。また、情報処理システム1は、状況に応じて、対応を変えることができる。また、セキュリティ装置４は、現在又は過去に蓄積された膨大な、画像、及び、センサの出力値に基づき、最適な異常の種類を判定できる。判定結果に基づき、セキュリティ装置４は、最適な通報先を選択し、電話により通報先と応対できる。
【００３８】
（変形例１）
上記実施形態の変形例１を説明する。
上記実施形態において、撮影装置３が、画像を撮影等し、その画像に基づき、セキュリティ装置４が、画像判定、異常判定、及び、通報先選択等する形態を説明した。変形例１において、セキュリティ装置４が、画像を撮影し、その画像に基づき、画像判定、異常判定、及び、通報先を選択等する形態を具体例として説明する。
変形例１におけるハードウェア構成を説明する。変形例１において、上記実施形態のセキュリティ装置４のハードウェア構成に加えて、センサＩＦ、及び、カメラを有する。
次に、変形例１における機能構成を説明する。変形例１において、上記実施形態のセキュリティ装置４の機能構成に加えて、撮影部を有する。
これにより、セキュリティ装置４は、建物１０の、内部、及び、外部を監視し、画像、及び、センサの出力値に基づき、異常を判定する。セキュリティ装置４は、異常があった場合、直接、関係会社に電話をすることができる。通報を受けた、関係会社は、建物１０に出動する。
【００３９】
（変形例２）
上記実施形態の変形例２を説明する。
上記実施形態において、画像判定部４５６は、格納部４５４により格納された画像に基づき、既定の画像要素の有無を判定し、異常判定部４５８は、画像判定部４５６の判定結果に基づき、異常の種類を判定する形態を具体例として説明した。変形例２において、異常判定部４５８は、機械学習により取得した特徴量に基づき、異常の種類を判定する形態を具体例として説明する。例えば、異常判定部４５８は、画像、センサの出力値、時刻、及び、監視対象属性等を入力情報として、ディープラーニングを行い、それにより取得した特徴量に基づき、異常の種類を判定する。ここで、ディープラーニングとは、システムがデータの特徴を学習して事象の認識や分類を行う機械学習の手法をいう。また、監視対象属性とは、例えば、家族構成等をいう。
なお、通報先選択部４６０、及び、通報部４６２が、画像、センサの出力値、時刻、及び、監視対象属性等の入力情報により、ディープラーニングを行い、それにより取得した特徴量に基づき、通報先を決定し、通報を行ってもよい。
これにより、セキュリティ装置４は、建物１０の、内部、及び、外部を監視し、画像、及び、センサの出力値等に基づき、ディープラーニングにより、異常を判定する。セキュリティ装置４は、異常があった場合、直接、関係会社に電話をすることができる。
【符号の説明】
【００４０】
１…情報処理システム
３…撮影装置
４…セキュリティ装置
１０…建物
３５２…撮影部
３５４…送信部
４００…ＣＰＵ
４０２…揮発性メモリ
４０４…不揮発性メモリ
４０６…ネットワークＩＦ
４０８…表示装置
４１０…入力装置
４１２…バスＩＦ
４５２…受信部
４５４…格納部
４５６…画像判定部
４５８…異常判定部
４６０…通報先決定部
４６２…通報部
【図１】
2017211929.tif 000003
【図２】
2017211929.tif 000004
【図３】
2017211929.tif 000005
【図４】
2017211929.tif 000006
【図５】
2017211929.tif 000007
【図６】
2017211929.tif 000008
【図７】
2017211929.tif 000009